【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信することと
を備え、
前記ＤＬ領域と前記ＵＬ領域との間の前記タイミング関係は、ＵＬ通信およびＤＬ通信について別々の領域を有するサブフレームに使用される最短時間持続時間を備え、前記ＤＬ領域の第１の持続時間および前記ＵＬ領域の第２の持続時間は、前記最短時間持続時間に少なくとも部分的に基づく、方法。
【請求項２】
前記サブフレームの前記追加的な領域を識別すること、ここにおいて、前記追加的な領域は、追加的なＤＬ領域または追加的なＵＬ領域を備える、
をさらに備える、請求項１に記載の方法。
【請求項３】
前記追加的な領域のリソース上での送信は、前記ＤＬ領域または前記ＵＬ領域と前記追加的な領域との間のタイミング関係に、少なくとも部分的に基づく、請求項２に記載の方法。
【請求項４】
前記ＤＬ領域の間、ＤＬ制御メッセージを受信すること
をさらに備える、請求項１に記載の方法。
【請求項５】
前記ＤＬ領域の間、ＤＬデータを受信すること、ここにおいて、前記ＤＬ領域のリソースは、前記ＤＬ制御メッセージによってスケジューリングされる、
をさらに備える、請求項４に記載の方法。
【請求項６】
前記ＵＬ領域の間、ＵＬ制御メッセージを送信すること、ここにおいて、前記ＵＬ制御メッセージは、前記ＤＬ領域の間、受信された前記ＤＬデータについての肯定応答（ＡＣＫ）情報を備える、
をさらに備える、請求項５に記載の方法。
【請求項７】
前記追加的な領域の間、ＤＬデータを受信すること、ここにおいて、前記追加的な領域は、前記ＤＬ領域に続き、前記ＵＬ領域に先行し、前記追加的な領域は、前記ＤＬ制御メッセージによってスケジューリングされたリソースを備える追加的なＤＬ領域を備える、
をさらに備える、請求項４に記載の方法。
【請求項８】
後続のサブフレームの間、ＵＬ制御メッセージを送信すること、ここにおいて、前記ＵＬ制御メッセージは、前記追加的なＤＬ領域の間、受信された前記ＤＬデータについての肯定応答（ＡＣＫ）情報を備える、
をさらに備える、請求項７に記載の方法。
【請求項９】
前記ＵＬ領域の間、ＵＬデータまたはＵＬ制御メッセージ、あるいは両方を送信すること、ここにおいて、前記ＵＬ領域の前記リソースは、前記ＤＬ制御メッセージによってスケジューリングされる、
をさらに備える、請求項４に記載の方法。
【請求項１０】
ワイヤレス通信のための装置であって、
サブフレームのダウンリンク（ＤＬ）領域を識別するための手段と、ここにおいて、前記サブフレームは、前記ＤＬ領域、アップリンク（ＵＬ）領域、ガード領域、および追加的な領域を備え、
前記サブフレームの前記ＵＬ領域を識別するための手段と、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信するための手段と
を備え、
前記ＤＬ領域と前記ＵＬ領域との間の前記タイミング関係は、ＵＬ通信およびＤＬ通信について別々の領域を有するサブフレームに使用される最短時間持続時間を備え、前記ＤＬ領域の第１の持続時間および前記ＵＬ領域の第２の持続時間は、前記最短時間持続時間に少なくとも部分的に基づく、装置。
【請求項１１】
前記サブフレームの前記追加的な領域を識別するための手段、ここにおいて、前記追加的な領域は、追加的なＤＬ領域または追加的なＵＬ領域を備える、
をさらに備える、請求項１０に記載の装置。
【請求項１２】
前記ＤＬ領域の間、ＤＬ制御メッセージを受信するための手段
をさらに備える、請求項１０に記載の装置。
【請求項１３】
前記ＤＬ領域と前記ＵＬ領域との間の前記タイミング関係は、前記サブフレームの間、通信のためにスケジューリングされたユーザ機器（ＵＥ）、または前記サブフレームの間、通信をスケジューリングするサービングセル、あるいは両方、の性能に少なくとも部分的に基づく、請求項１０に記載の装置。
【請求項１４】
前記サブフレームの前記ガード領域を識別するための手段、ここにおいて、前記ＤＬ領域と前記ＵＬ領域との間の前記タイミング関係は、前記サブフレーム内の前記ガード領域のロケーションまたは前記ガード領域の持続時間、あるいは両方に少なくとも部分的に基づく、
をさらに備える、請求項１０に記載の装置。
【請求項１５】
請求項１乃至９のうちのいずれかに記載の方法を実装するための命令を備える、コンピュータプログラム。
【手続補正２】
【補正対象書類名】明細書
【補正対象項目名】０１４８
【補正方法】変更
【補正の内容】
【０１４８】
[0156]本明細書で説明されるシステム、デバイス、およびコンポーネントは、個々にまたは集合的に、ハードウェアにおいて適用可能な機能のうちのいくつかまたは全てを行うように適合された少なくとも１つのＡＳＩＣを用いてインプリメントされ得る。代替的に、機能は、少なくとも１つのＩＣ上で、複数の他の処理ユニット（または、コア）によって行われ得る。他の例において、他のタイプの集積回路（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はまた、全体的にまたは部分的に、メモリにおいて具現化された命令でインプリメントされ得、複数の汎用または特定用途向けのプロセッサによって実行されるようにフォーマットされ得る。
以下に本願の出願当初の特許請求の範囲に記載された発明を付記する。
［Ｃ１］
ワイヤレス通信の方法であって、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信することと  を備える、方法。
［Ｃ２］
前記サブフレームの前記追加的な領域を識別すること、ここにおいて、前記追加的な領域は、追加的なＤＬ領域または追加的なＵＬ領域を備え、
をさらに備える、Ｃ１に記載の方法。
［Ｃ３］
前記追加的な領域のリソース上での送信は、前記ＤＬ領域または前記ＵＬ領域と前記追加的な領域との間のタイミング関係に、少なくとも部分的に基づく、Ｃ２に記載の方法。
［Ｃ４］
前記ＤＬ領域の間、ＤＬ制御メッセージを受信すること
をさらに備える、Ｃ１に記載の方法。
［Ｃ５］
前記ＤＬ領域の間、ＤＬデータを受信すること、ここにおいて、前記ＤＬ領域のリソースは、前記ＤＬ制御メッセージによってスケジューリングされ、
をさらに備える、Ｃ４に記載の方法。
［Ｃ６］
前記ＵＬ領域の間、ＵＬ制御メッセージを送信すること、ここにおいて、前記ＵＬ制御メッセージは、前記ＤＬ領域の間、受信された前記ＤＬデータについての肯定応答（ＡＣＫ）情報を備え、
をさらに備える、Ｃ５に記載の方法。
［Ｃ７］
前記追加的な領域の間、ＤＬデータを受信すること、ここにおいて、前記追加的な領域は、前記ＤＬ領域に続き、前記ＵＬ領域に先行し、前記追加的な領域は、前記ＤＬ制御メッセージによってスケジューリングされたリソースを備える追加的なＤＬ領域を備え、  をさらに備える、Ｃ４に記載の方法。
［Ｃ８］
後続のサブフレームの間、ＵＬ制御メッセージを送信すること、ここにおいて、前記ＵＬ制御メッセージは、前記追加的なＤＬ領域の間、受信された前記ＤＬデータについての肯定応答（ＡＣＫ）情報を備え、
をさらに備える、Ｃ７に記載の方法。
［Ｃ９］
前記ＵＬ領域の間、ＵＬデータまたはＵＬ制御メッセージ、あるいは両方を送信すること、ここにおいて、前記ＵＬ領域の前記リソースは、前記ＤＬ制御メッセージによってスケジューリングされ、
をさらに備える、Ｃ４に記載の方法。
［Ｃ１０］
前記追加的な領域の間、ＵＬデータまたはＵＬ制御メッセージ、あるいは両方を送信すること、ここにおいて、前記追加的な領域は、前記ＤＬ領域に続き、前記ＵＬ領域に先行し、前記追加的な領域は、先行するサブフレームにおける別のＤＬ制御メッセージによってスケジューリングされたリソースを備える追加的なＵＬ領域を備え、
をさらに備える、Ｃ４に記載の方法。
［Ｃ１１］
前記ＤＬ領域と前記ＵＬ領域との間の前記タイミング関係は、前記サブフレームの間、通信のためにスケジューリングされたユーザ機器（ＵＥ）、または前記サブフレームの間、通信をスケジューリングするサービングセル、あるいは両方、の性能に少なくとも部分的に基づく、Ｃ１に記載の方法。
［Ｃ１２］
前記ＤＬ領域と前記ＵＬ領域との間の前記タイミング関係は、システム情報（ＳＩ）ブロードキャスト、ラジオリソース制御（ＲＲＣ）シグナリング、またはＤＬ制御メッセージにおけるリソースのグラント、あるいはそれらの任意の組合せを使用して識別される、Ｃ１に記載の方法。
［Ｃ１３］
前記ＤＬ領域と前記ＵＬ領域との間の前記タイミング関係は、ＵＬ通信およびＤＬ通信に関して別々の領域を有するサブフレームに使用される最短時間持続時間を備え、前記ＤＬ領域の第１の持続時間および前記ＵＬ領域の第２の持続時間は、前記最短時間持続時間に少なくとも部分的に基づく、Ｃ１に記載の方法。
［Ｃ１４］
前記サブフレームの前記ガード領域を識別すること、ここにおいて、前記ＤＬ領域と前記ＵＬ領域との間の前記タイミング関係は、前記サブフレーム内の前記ガード領域のロケーションまたは前記ガード領域の持続時間、あるいは両方に少なくとも部分的に基づき、  をさらに備える、Ｃ１に記載の方法。
［Ｃ１５］
前記サブフレームの前記ガード領域の前記持続時間は、時分割複信（ＴＤＤ）構成されたキャリアの特別なサブフレームのガード期間とは異なり、前記ＴＤＤ構成されたキャリアは、前記サブフレームおよび前記特別なサブフレームを備える、Ｃ１４に記載の方法。
［Ｃ１６］
前記特別なサブフレームの前記ガード期間は、システム内のＵＥのセットにおける各ユーザ機器（ＵＥ）の共通の性能に従って構成され、前記サブフレームの前記ガード領域は、前記システム内のＵＥの前記セットのサブセットの異なる性能に従って構成される、Ｃ１５に記載の方法。
［Ｃ１７］
前記サブフレームに関する、ＤＬハイブリッド自動再送要求（ＨＡＲＱ）のタイミングまたはＵＬスケジューリングのタイミング、あるいは両方は、後続のサブフレームまたは先行するサブフレームに関するＤＬ  ＨＡＲＱのタイミングまたはＵＬスケジューリングのタイミングとは異なる、Ｃ１に記載の方法。
［Ｃ１８］
ワイヤレス通信のための装置であって、
サブフレームのダウンリンク（ＤＬ）領域を識別するための手段と、ここにおいて、前記サブフレームは、前記ＤＬ領域、アップリンク（ＵＬ）領域、ガード領域、および追加的な領域を備え、
前記サブフレームの前記ＵＬ領域を識別するための手段と、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信するための手段と
を備える、装置。
［Ｃ１９］
前記サブフレームの前記追加的な領域を識別するための手段、ここにおいて、前記追加的な領域は、追加的なＤＬ領域または追加的なＵＬ領域を備え、
をさらに備える、Ｃ１８に記載の装置。
［Ｃ２０］
前記ＤＬ領域の間、ＤＬ制御メッセージを受信するための手段
をさらに備える、Ｃ１８に記載の装置。
［Ｃ２１］
前記ＤＬ領域の間、ＤＬデータを受信するための手段、ここにおいて、前記ＤＬ領域のリソースは、前記ＤＬ制御メッセージによってスケジューリングされ、
をさらに備える、Ｃ２０に記載の装置。
［Ｃ２２］
前記ＵＬ領域の間、ＵＬ制御メッセージを送信するための手段、ここにおいて、前記ＵＬ制御メッセージは、前記ＤＬ領域の間、受信された前記ＤＬデータについての肯定応答（ＡＣＫ）情報を備え、
をさらに備える、Ｃ２１に記載の装置。
［Ｃ２３］
前記追加的な領域の間、ＤＬデータを受信するための手段、ここにおいて、前記追加的な領域は、前記ＤＬ領域に続き、前記ＵＬ領域に先行し、前記追加的な領域は、前記ＤＬ制御メッセージによってスケジューリングされたリソースを備える追加的なＤＬ領域を備え、
をさらに備える、Ｃ２０に記載の装置。
［Ｃ２４］
後続のサブフレームの間、ＵＬ制御メッセージを送信するための手段、ここにおいて、前記ＵＬ制御メッセージは、前記追加的なＤＬ領域の間、受信された前記ＤＬデータについての肯定応答（ＡＣＫ）情報を備え、
をさらに備える、Ｃ２３に記載の装置。
［Ｃ２５］
前記ＵＬ領域の間、ＵＬデータまたはＵＬ制御メッセージ、あるいは両方を送信するための手段、ここにおいて、前記ＵＬ領域の前記リソースは、前記ＤＬ制御メッセージによってスケジューリングされ、
をさらに備える、Ｃ２０に記載の装置。
［Ｃ２６］
前記追加的な領域の間、ＵＬデータまたはＵＬ制御メッセージ、あるいは両方を送信するための手段、ここにおいて、前記追加的な領域は、前記ＤＬ領域に続き、前記ＵＬ領域に先行し、前記追加的な領域は、先行するサブフレームにおける別のＤＬ制御メッセージによってスケジューリングされたリソースを備える追加的なＵＬ領域を備え、
をさらに備える、Ｃ２０に記載の装置。
［Ｃ２７］
前記ＤＬ領域と前記ＵＬ領域との間の前記タイミング関係は、前記サブフレームの間、通信のためにスケジューリングされたユーザ機器（ＵＥ）、または前記サブフレームの間、通信をスケジューリングするサービングセル、あるいは両方、の性能に少なくとも部分的に基づく、Ｃ１８に記載の装置。
［Ｃ２８］
前記サブフレームの前記ガード領域を識別するための手段、ここにおいて、前記ＤＬ領域と前記ＵＬ領域との間の前記タイミング関係は、前記サブフレーム内の前記ガード領域のロケーションまたは前記ガード領域の持続時間、あるいは両方に少なくとも部分的に基づき、
をさらに備える、Ｃ１８に記載の装置。
［Ｃ２９］
ワイヤレス通信のための装置であって、
プロセッサと、
前記プロセッサと電子通信状態にあるメモリと、
前記メモリに記憶され、および、前記プロセッサによって実行されると、前記装置に、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信することと
を行わせるように動作可能な命令と
を備える、装置。
［Ｃ３０］
ワイヤレス通信のためのコードを記憶した非一時的コンピュータ読取り可能媒体であって、前記コードは、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間通信することと
を行うように実行可能な命令を備える、非一時的コンピュータ読取り可能媒体。